(57)【要約】【課題】近年、小型の太陽光発電システムとして搬入型の発電装置が見られるが、発電装置と充電蓄電装置は別々となっている。一方、より効率的な太陽光発電を利用できるため、同時に壁やベランダに固定できる需要もある。また、深夜電力を利用できる時間帯と太陽光発電できる時間帯が重なる場合、より効率的に利用するための時間調整が手間を掛かる。【解決手段】本発明は、太陽電池パネル枠体の背面に折畳んだ架台、及び背面の枠体内部に固定される蓄電池と充電コントロール装置によって発電装置と充電装置を一体化し、携帯発電に優れている。また、枠体と折畳む架台に壁やベランダに設置された補助架台に掛けることができ、取り付け及び持ち運べる構造を持つ、携帯発電と固定発電両方を対応できる。また、太陽光発電以外に、風力などその他の自然エネルギーで発電したエネルギー、及び深夜電力を併用し充電の時間制御を行う際、太陽光発電電力から自動的に時間帯を制御し、手動調整の手間を省ける。【選択図】図１
2012244893.tif 000002
【特許請求の範囲】
【請求項１】
太陽電池枠体の背面に取り付けた太陽電池枠体と一体化した充電蓄電構造。
【請求項２】
太陽電池枠体の背面に折畳んだ架台に取り付けた太陽電池架台と一体化した充電蓄電構造。
【請求項３】
フイルム式太陽電池の収納芯に取り付けた一体化した充電蓄電構造。
【請求項４】
太陽電池枠体と折畳んだ架台にある、取り付けて固定すると取り外して携帯する機能を両方対応する構造。
【請求項５】
深夜電力充電の時間制御において太陽光発電電力により制御を加える設定構造。
【請求項６】
太陽電池枠体と一体化した充電蓄電装置。該装置はＰＶケーブルオス、メスアダプタ、直流入力アダプタ、交流入力プラグ、ＵＳＢ出力コネクタ、直流出力アダプタ、交流出力プラグ、シガープラグの全部或いは一部を持つ。
【請求項７】
上記１、２、３、４、５、６請求項を用いる装置とシステム。
【発明の詳細な説明】
【技術分野】
【０００１】本発明は、発電と蓄電装置が一体化した持ち運べる携帯式太陽光発電と蓄電装置及びシステムである。
【背景技術】
【０００２】従来より、太陽光発電はグリーンで無限蔵のエネルギーとして注目を浴びており、設置が増えてきている。その中に小規模の太陽光発電応用として、折畳む、スライド式などの携帯型の装置が開発されている（特許文献１を参照）。また、マンションのベランダやバルコニーへ設置する方法も開発されている（特許文献２を参照）。【０００３】一方、家庭に蓄電池設備を導入し、深夜電力を充電しておき昼間にそれを利用しピークカット効果及び経済性を向上するなどいろいろの開発が知られている（特許文献３、４、５を参照）。
【先行技術文献】
【０００４】
【特許文献１】特開２００３−９２４２３号公報
【特許文献２】特開２００２−１３４７７６号公報
【特許文献３】特開２０００−３２６６９号公報
【特許文献４】特開平７−６７２６５号公報
【特許文献５】特開平１１−４６４５８号公報
【発明の概要】
【発明が解決しようとする課題】
【０００５】しかし、これまでの搬入型の太陽光発電システムでは、太陽光発電部と充電蓄電部は別々となり、持ち運べるに不便が生じる。一方、太陽電池を持ち運ばない場合、太陽電池を壁、ベランダなどに固定して利用することは、地面に展開して置くことより、空間利用効率が高いが、これまでの搬入型の太陽光発電システムは携帯性と固定性を両方対応していない。【０００６】また、深夜電力を利用する際、朝太陽光発電できる時間帯は深夜電力料金時間帯と重複する部分があり、この重複する部分は季節によって変化する。太陽光発電量から、自動的にこの重複時間から深夜電力充電を解除することは経済性を向上できるが、これまでの太陽光発電システムは対応していない。
【課題を解決するための手段】
【０００７】上記問題を解決するため本発明は、太陽電池パネル枠体の背面に折畳んだ架台、及び背面の枠体内部に固定される蓄電池と充電コントロール装置によって発電と充電を一体化する。枠体と折畳む架台に壁やベランダに設置された補助架台に掛けることができ、容易に取り付け及び持ち運べる構造を持つ。また、太陽光発電以外に、風力などその他の自然エネルギーで発電したエネルギー、及び深夜電力を併用し充電の時間制御を行う際、太陽光発電電力から自動的に時間を制御するプロセスを持つ。
【発明の効果】
【０００８】本発明によれば、太陽光発電部と充電蓄電部が一体化し、持ち運べることが容易になる。壁やベランダなどの補助架台に容易に取り付けられ、携帯しない時、より効率的に太陽光発電の利用を達成できる。【０００９】また、太陽光発電電力によって、深夜電力の充電時間を制御でき、より商用電力の利用経済性を向上できる。
【図面の簡単な説明】
【００１０】
【図１】本発明の携帯地面設置例
【図２】本発明の充電蓄電装置例
【図３】本発明の固定壁設置例
【図４】本発明の深夜電力充電時間制御プロセス例
【発明を実施するための形態】
【００１１】以下、本発明の実施例の形態について説明する。
【００１２】（イ）折畳んだ太陽電池の枠体（図１−１）を展開する。
（ロ）枠体の背面に折畳んだ架台（図１−２）を展開する。
（ハ）ＰＶケーブルからの出力を枠体の背面に固定し一体化した充電蓄電装置（図１−３）の直流入力（図２−７）あるいは充電蓄電装置になるＰＶコネクタに取り付ける。
（ニ）負荷の種類によって、充電蓄電装置のｕｓｂ出力（図２−４）、直流出力（図２−５）、或いは交流出力（図２−６）に接続する。
（ホ）深夜電力を利用する場合、直接交流入力（図２−８）を接続し（或いは直流に変換後、直流入力に接続）、時間制御の有無（図２−９）及び太陽光時間制御（図２−１０）の有無を選択し、スイッチを入れる。太陽光発電による充電時間帯制御の必要がある場合、太陽光発電量によって、深夜電力充電の時間帯の自動制御を行う（図４）。
【００１３】また、
（ヘ）折畳んだ太陽電池の枠体（図１−１）を展開する。
（ト）枠体の上部にある取り付ける装置（図３−１１）を壁にある補助架台に固定する。
（チ）枠体の背面に折畳んだ架台（図１−２）を展開し、太陽電池に角度を与える。
（リ）枠体の背面に折畳んだ架台にある取り付ける装置（図３−１２）を壁にある補助架台に固定する。
（ヌ）ケーブルを枠体の背面に固定し一体化した充電蓄電装置に取り付ける。
【００１４】以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施の形態では、このように枠体の背面に一体化構造に限らず、折畳む架台やスタントと一体化する構造、また、フィルム式の太陽電池を利用する場合、巻き込む収納芯と一体化する充電蓄電構造を持つように、変更、改良を加えても良い。また、このような発電蓄電一体化構造を用いる防災装置などの応用への変更、改良を加えても良い。
【符号の説明】
【００１５】図１
１：太陽電池枠体
２：折畳める架台
３：充電蓄電装置【００１６】図２
４：ｕｓｂ出力
５：直流出力
６：交流出力
７：直流入力
８：交流入力
９：時間制御スイッチ
１０：太陽光時間制御スイッチ【００１７】図３
１１：枠体上部取り付け装置
１２：架台取り付け装置【００１８】図４
太陽光発電充電時間帯制御プロセス
【図１】
2012244893.tif 000003
【図２】
2012244893.tif 000004
【図３】
2012244893.tif 000005
【図４】
2012244893.tif 000006